【手続補正書】
【提出日】平成17年2月2日(2005.2.2)
【手続補正１】
【補正対象書類名】特許請求の範囲
【補正対象項目名】全文
【補正方法】変更
【補正の内容】
【特許請求の範囲】
【請求項１】
送信チャネルを通して遠隔ステーションと通信する少なくとも１つの無線通信装置において、前記遠隔ステーションが定期的に前記無線通信装置に出力する基準パターンを定義しかつ前記送信チャネルの伝達関数を特に評価することができる一連のパイロット記号を提供する方法であって、
前記送信チャネルの最大のドップラ周波数及び／又は最大の遅延スプレッドを含むグループに属する前記送信チャネルの少なくとも１つの特性を測定するステップと、
通信の間、前記送信チャネルの少なくとも１つの特性の関数として、前記基準パターンの構造を変更するステップと、
前記少なくとも１つの無線通信装置において前記一連のパイロット記号を抽出するステップと、
を含むことを特徴とする方法。
【請求項２】
請求項１に記載の送信チャネルの伝達関数を特に評価するための一連のパイロット記号を提供する方法が、前記送信チャネルの特性の関数として、機能的には同一であるが前記基準パターンの構造に関しては別個の波形に基づく少なくとも１つのチャネルを通信に割り当てるステップを含むことを特徴とする方法。
【請求項３】
請求項１，２のいずれかに記載の送信チャネルの伝達関数を特に評価するための一連のパイロット記号を提供する方法であって、前記無線通信装置と前記遠隔ステーションとの間の通信にトラフィックチャネルを割り当てる前記ステップが、前記送信チャネルの特性を示すデータを交換するステップを含むことを特徴とする方法。
【請求項４】
請求項３に記載の送信チャネルの伝達関数を特に評価するための一連のパイロット記号を提供する方法であって、前記交換するステップが、前記通信を行う場合に信号データ及び／又は制御データを送信することも可能であることを特徴とする方法。
【請求項５】
請求項１〜４のいずれかに記載の、それぞれが複数のキャリア周波数から形成された一連の記号から成るマルチキャリア信号の送信チャネルの伝達関数を特に評価するための一連のパイロット記号を提供する方法であって、２つの続いて起こるキャリア周波数の間の時間間隔及び／又は周波数間隔が、前記チャネルの前記特性の関数として可変であることを特徴とする方法。
【請求項６】
請求項５に記載の送信チャネルの伝達関数を特に評価するための一連のパイロット記号を提供する方法であって、前記２つの続いて起こるキャリア周波数間の時間間隔が、最大のドップラ周波数及び最大の遅延スプレッドが同一にされるように選択されることを特徴とする方法。
【請求項７】
２つのチャネル、すなわち、１つの永久信号チャネル及び１つのバーストモードで動作するチャネルを有するシステムに適用された、請求項５，６のいずれかに記載の送信チャネルの伝達関数を特に評価するための一連のパイロット記号を提供する方法であって、前記送信チャネルの特性が前記永久チャネル上で測定され、前記バーストモードのチャネルが最適な基準パターンを用いて直接開始することを特徴とする方法。
【請求項８】
請求項７に記載の送信チャネルの伝達関数を特に評価するための一連のパイロット記号を提供する方法であって、前記永久チャネルがＣＤＭＡ（コード分割多重アクセス）変調を用い、前記バーストモードのチャネルがマルチキャリア変調（ＯＦＤＭ／ＩＯＴＡ）を使用することを特徴とする方法。
【請求項９】
請求項１〜８のいずれかに記載の送信チャネルの伝達関数を特に評価するための一連のパイロット記号を提供する方法であって、前記基準パターンの構造に対して行われる変調がセルラーネットワークの中で使用される「内部引継」形の手順を用いて行われることを特徴とする方法。
【請求項１０】
請求項１〜９のいずれかに記載の送信チャネルの伝達関数を特に評価するための一連のパイロット記号を提供する方法であって、前記基準パターンが送信された信号の包絡線の変動を制限するように作られることを特徴とする方法。
【請求項１１】
請求項１〜１０のいずれかに記載の送信チャネルの伝達関数を特に評価するための一連のパイロット記号を提供する方法であって、前記基準パターンがパイロットと呼ばれる、時間−周波数空間内の値及び位置が前記装置にとっては周知であると共に、前記時間−周波数空間内に均一に配置される基準キャリア周波数から形成されることを特徴とする方法。
【請求項１２】
請求項１１に記載の送信チャネルの伝達関数を特に評価するための一連のパイロット記号を提供する方法であって、前記パイロットが前記時間−周波数空間内に平行四辺形を定義することを特徴とする方法。
【請求項１３】
請求項１０，１２のいずれかに記載の送信チャネルの伝達関数を特に評価するための一連のパイロット記号を提供する方法であって、前記装置と前記遠隔ステーションとの間のデータの少なくともいくつかの送信がブロックで行われることを特徴とする方法。
【請求項１４】
請求項５〜１３のいずれかに記載の送信チャネルの伝達関数を特に評価するための一連のパイロット記号を提供する方法が、前記装置が前記遠隔ステーションとの同期を維持するステップを含み、前記パイロットに関連するエネルギーを前記送信された信号の有益なキャリア周波数に関連するエネルギーと比較することを特徴とする方法。
【請求項１５】
請求項１４に記載の送信チャネルの伝達関数を特に評価するための一連のパイロット記号を提供する方法が、前記ブロックの持続時間を前記送信チャネルの特性の関数として、前記チャネルが前記期間の間の定常性の基準を考慮するように適合させるステップを含むことを特徴とする方法。
【請求項１６】
請求項１５に記載の送信チャネルの伝達関数を特に評価するための一連のパイロット記号を提供する方法であって、前記基準パターンの構造が前記ブロックの持続時間の関数として変化することを特徴とする方法。
【請求項１７】
請求項１３〜１６のいずれかに記載の送信チャネルの伝達関数を特に評価するための一連のパイロット記号を提供する方法であって、前記ブロックが、少なくとも１つのエッジ及び／又は少なくとも１つのコーナが前記パイロットの１つによって同一視される時間−周波数空間内で平行四辺形を形成することを特徴とする方法。
【請求項１８】
請求項１７に記載の送信チャネルの伝達関数を特に評価するための一連のパイロット記号を提供する方法であって、前記平行四辺形のエッジがパイロットによって完全に定義されることを特徴とする方法。
【請求項１９】
請求項１２〜１８のいずれかに記載の送信チャネルの伝達関数を特に評価するための一連のパイロット記号を提供する方法が、前記送信チャネルの特性の関数として、前記パイロットの時間及び／又は周波数の密度を適合させるステップを含むことを特徴とする方法。
【請求項２０】
少なくとも１つの無線通信装置を、定期的に基準パターンを該無線通信装置に出力する遠隔ステーションと同期させ、前記無線通信装置で送信チャネルの伝達関数を特に評価する方法において、
前記送信チャネルの最大のドップラ周波数及び／又は最大の遅延スプレッドを含むグループに属する前記送信チャネルの少なくとも１つの特性を測定するステップと、
通信の間、前記送信チャネルの少なくとも１つの特性の関数として、前記基準パターンの構造を変更するステップと、
前記無線通信装置において一連のパイロット記号を抽出し、前記同期のために該一連のパイロット記号を使用するステップと、
を含むことを特徴とする方法。
【請求項２１】
遠隔ステーションと無線通信装置との間で交換された無線通信信号が、チャネルの最大のドップラ周波数及び／又は最大の遅延スプレッドを含むグループに属する前記送信チャネルの少なくとも１つの特性の関数として、通信する間は可変構造の基準パターンを含むことを特徴とする無線通信信号。
【請求項２２】
請求項２１に記載の無線通信信号の受信機が、前記チャネルの最大のドップラ周波数及び／又は最大の遅延スプレッドを含むグループに属する前記チャネルの少なくとも１つの特性の関数として、通信する間は構造が可変の基準パターンを処理することができる、前記送信チャネルの伝達関数を評価するための手段を備えることを特徴とする無線通信信号の受信機。
【請求項２３】
請求項２１に記載の無線通信信号を送信する基地局が、前記チャネルの最大のドップラ周波数及び／又は最大の遅延スプレッドを含むグループに属する前記送信チャネルの少なくとも１つの特性の関数として、通信する間に基準パターンの構造を変化させる手段を備えることを特徴とする基地局。
【請求項２４】
請求項２１に記載の無線通信信号を送信する方法。
【請求項２５】
請求項２１に記載の無線通信信号を受信する方法。
【請求項２６】
少なくとも１つの送信機と少なくとも１つの受信機との間に、請求項２１に記載の信号を送信するシステム。